(57)【要約】【課題】盗撮カメラを見逃してしまうことを抑制できる盗撮カメラ検出装置を提供する。【解決手段】盗撮カメラ検出装置Ａ１において、ＬＥＤ明滅周波数ｆ１で明滅する光を照射する発光部１２と、発光部１２が光を照射する方向を、ＬＥＤ明滅周波数ｆ１とは異なる撮像周波数ｆ２のタイミングで連続的に撮像する撮像部３３と、撮像部３３が撮像した画像を表示する表示部３４とを備えた。【選択図】図１
2020120275.tif 000002
【特許請求の範囲】
【請求項１】
第１周波数で明滅する光を照射する発光部と、
前記発光部が光を照射する方向を、前記第１周波数とは異なる第２周波数のタイミングで連続的に撮像する撮像部と、
前記撮像部が撮像した画像を表示する表示部と、
を備えることを特徴とする盗撮カメラ検出装置。
【請求項２】
前記表示部は、盗撮カメラのレンズに反射した光を、前記第１周波数および前記第２周波数に基づく第３周波数で明滅させた動画を表示する、
請求項１に記載の盗撮カメラ検出装置。
【請求項３】
前記第１周波数をｆ１［Ｈｚ］、前記第２周波数をｆ２［Ｈｚ］、自然数をｎとすると、下記（１）式が成立する、
請求項１または２に記載の盗撮カメラ検出装置。
０．５≦｜ｆ１/ｎ−ｆ２｜≦１０  ・・・・  （１）
【請求項４】
前記第１周波数をｆ１［Ｈｚ］、前記第２周波数をｆ２［Ｈｚ］、自然数をｎとすると、下記（２）式が成立する、
請求項１または２に記載の盗撮カメラ検出装置。
２≦｜ｆ１/ｎ−ｆ２｜≦５  ・・・・  （２）
【請求項５】
前記撮像部が撮像した第１画像と、前記第１画像の直前に撮像された第２画像とを比較して、明るさが大きく異なる明滅領域を検出する画像比較部と、
前記第１画像に前記明滅領域を示す表示を合成する画像合成部と、
をさらに備え、
前記表示部は、前記撮像部が撮像した画像に代えて、前記画像合成部が合成した画像を表示する、
請求項１ないし４のいずれかに記載の盗撮カメラ検出装置。
【請求項６】
第１周波数で明滅する光を照射する発光部と、前記発光部が光を照射する方向を連続的に撮像可能な撮像部と、画像を表示する表示部と、前記撮像部を制御するコンピュータとを備える装置を盗撮カメラ検出装置として機能させるためのプログラムであって、
前記コンピュータに、
前記第１周波数とは異なる第２周波数のタイミングで、前記撮像部に撮像指示を出力する処理と、
前記撮像部が撮像した画像を前記表示部に表示させる処理と、
を実行させるためのプログラム。
【発明の詳細な説明】
【技術分野】
【０００１】
本発明は、盗撮などのために仕かけられている盗撮カメラを発見するための盗撮カメラ検出装置およびプログラムに関する。
【背景技術】
【０００２】
近年、小型化の技術が進歩して、カメラの小型化が可能になっている。小型カメラを悪用し、人に気付かれないように部屋の中などに仕かけて、盗撮を行う犯罪が増えている。このような盗撮カメラを発見するための装置が、例えば特許文献１に開示されている。
【０００３】
特許文献１に開示されているカメラ検知装置は、周囲に光を照射してカメラで画像を撮像し、撮像された静止画像から強い反射光を検出してその形状を識別することで、盗撮カメラを発見する。
【先行技術文献】
【特許文献】
【０００４】
【特許文献１】特開２０１１−１５９３２０号公報
【発明の概要】
【発明が解決しようとする課題】
【０００５】
しかしながら、盗撮カメラのレンズは非常に小さいものが開発されているので、撮像された静止画像から当該レンズによる強い反射光を検出したり、その形状を識別したりすることが困難である場合がある。この場合、盗撮カメラを発見することができず、見逃してしまう可能性がある。
【０００６】
本発明は上記した事情のもとで考え出されたものであって、盗撮カメラを見逃してしまうことを抑制できる盗撮カメラ検出装置を提供することを目的としている。
【課題を解決するための手段】
【０００７】
上記課題を解決するため、本発明では、次の技術的手段を講じている。
【０００８】
本発明の第１の側面によって提供される盗撮カメラ検出装置は、第１周波数で明滅する光を照射する発光部と、前記発光部が光を照射する方向を、前記第１周波数とは異なる第２周波数のタイミングで連続的に撮像する撮像部と、前記撮像部が撮像した画像を表示する表示部とを備えることを特徴とする。
【０００９】
本発明の好ましい実施の形態においては、前記表示部は、盗撮カメラのレンズに反射した光を、前記第１周波数および前記第２周波数に基づく第３周波数で明滅させた動画を表示する。
【００１０】
本発明の好ましい実施の形態においては、前記第１周波数をｆ１［Ｈｚ］、前記第２周波数をｆ２［Ｈｚ］、自然数をｎとすると、下記（１）式が成立する。
０．５≦｜ｆ１/ｎ−ｆ２｜≦１０  ・・・・  （１）
【００１１】
本発明の好ましい実施の形態においては、前記第１周波数をｆ１［Ｈｚ］、前記第２周波数をｆ２［Ｈｚ］、自然数をｎとすると、下記（２）式が成立する。
２≦｜ｆ１/ｎ−ｆ２｜≦５  ・・・・  （２）
【００１２】
本発明の好ましい実施の形態においては、前記撮像部が撮像した第１画像と、前記第１画像の直前に撮像された第２画像とを比較して、明るさが大きく異なる明滅領域を検出する画像比較部と、前記第１画像に前記明滅領域を示す表示を合成する画像合成部とをさらに備え、前記表示部は、前記撮像部が撮像した画像に代えて、前記画像合成部が合成した画像を表示する。
【００１３】
本発明の第１の側面によって提供されるプログラムは、第１周波数で明滅する光を照射する発光部と、前記発光部が光を照射する方向を連続的に撮像可能な撮像部と、画像を表示する表示部と、前記撮像部を制御するコンピュータとを備える装置を盗撮カメラ検出装置として機能させるためのプログラムであって、前記コンピュータに、前記第１周波数とは異なる第２周波数のタイミングで、前記撮像部に撮像指示を出力する処理と、前記撮像部が撮像した画像を前記表示部に表示させる処理とを実行させる。
【発明の効果】
【００１４】
本発明によると、発光部が第１周波数で明滅する光を照射し、撮像部が第２周波数のタイミングで連続的に撮像し、表示部が撮像された画像を表示する。画像は連続的に撮像されているので、表示部には動画として表示される。第２周波数は第１周波数と異なる周波数なので、表示部に表示される動画において、発光部が照射して盗撮カメラのレンズにより反射された光は、第１周波数および第２周波数に基づく周波数で明滅する。操作者は、盗撮カメラのレンズが小さくて、静止画では反射された光を発見できない場合でも、動画において光が明滅するように表示されるので、容易に発見できる。よって、盗撮カメラを見逃してしまうことを抑制できる。
【００１５】
本発明のその他の特徴および利点は、添付図面を参照して以下に行う詳細な説明によって、より明らかとなろう。
【図面の簡単な説明】
【００１６】
【図１】第１実施形態に係る盗撮カメラ検出装置の機能構成を示すブロック図である。
【図２】（ａ）は図１に示す盗撮カメラ検出装置を示す正面図であり、（ｂ）は（ａ）のＩＩ−ＩＩ線に沿う概略断面図である。
【図３】ＬＥＤ明滅周波数ｆ１および撮像周波数ｆ２によって定まる表示明滅周波数ｆ３を説明するためのタイムチャートである。
【図４】図１に示す盗撮カメラ検出装置における盗撮カメラ検出処理を説明するためのフローチャートの一例である。
【図５】第２実施形態に係る盗撮カメラ検出装置の機能構成を示すブロック図である。
【図６】図５に示す盗撮カメラ検出装置における盗撮カメラ検出処理を説明するためのフローチャートの一例である。
【図７】第３実施形態に係る盗撮カメラ検出装置の機能構成を示すブロック図である。
【図８】第４実施形態に係る盗撮カメラ検出装置の機能構成を示すブロック図である。
【発明を実施するための形態】
【００１７】
以下、本発明の実施の形態を、図面を参照して具体的に説明する。
【００１８】
〔第１実施形態〕
図１および図２は、第１実施形態に係る盗撮カメラ検出装置Ａ１を説明するための図である。図１は、盗撮カメラ検出装置Ａ１の機能構成を示すブロック図である。図２（ａ）は、盗撮カメラ検出装置Ａ１を示す正面図である。図２（ｂ）は、図２（ａ）のＩＩ−ＩＩ線に沿う概略断面図である。なお、図２（ｂ）の一部の構成においては、断面を示すためのハッチングを省略している。盗撮カメラ検出装置Ａ１は、盗撮カメラを検出するための装置であり、操作者が携帯可能な小型の装置である。操作者は、例えば自分の部屋や、更衣室などにおいて、盗撮カメラ検出装置Ａ１を使用することで、盗撮目的で仕掛けられているカメラを見つけることができる。また、盗撮カメラ検出装置Ａ１は携帯可能なので、初めて訪れる場所にも持参して使用することができる。
【００１９】
盗撮カメラ検出装置Ａ１は、発光装置１および検出装置３を備えている。本実施形態では、検出装置３は盗撮カメラ検出用のアプリケーションプログラム（以下では、省略して「アプリ」と記載する場合がある）がインストールされたスマートフォンであり、これに発光装置１が取り付けられることで、盗撮カメラ検出装置Ａ１を構成する。
【００２０】
発光装置１は、所定の周波数で明滅する光を照射する装置である。図１に示すように、発光装置１は、機能構成として、操作部１１、発光部１２、および制御部１３を備えている。
【００２１】
操作部１１は、発光装置１を操作するための機能ブロックであり、操作者によって操作される操作ボタンを備えている。操作部１１は、操作者による操作ボタンの操作に基づく操作信号を制御部１３に出力する。本実施形態では、操作部１１は、後述するように、操作ボタンとして電源ボタン２２ａおよび発光ボタン２２ｂを備えている。
【００２２】
発光部１２は、制御部１３からの指示により光を照射する機能ブロックである。本実施形態では、発光部１２は、後述するＬＥＤ２７を備えている。
【００２３】
制御部１３は、操作部１１から入力される操作信号に応じて、発光装置１の制御を行う。具体的には、制御部１３は、電源ボタン２２ａが操作されると、発光装置１が停止している場合には起動させ、稼動している場合には停止させる。また、制御部１３は、発光ボタン２２ｂが操作されると、発光部１２が光の照射を行う状態と行わない状態とで切り替える。制御部１３は、発光部１２が光の照射を行う状態とする場合には、発光部１２に流す電流を所定の周波数ｆ１でオンオフする。また、制御部１３は、このときのオンの時間とオフの時間を同じ時間としている。つまり、デューティ比を５０％としてオンオフする。ＬＥＤ２７は電流が流れている間は点灯し、電流が流れていない間は消灯する。したがって、ＬＥＤ２７が照射する光は、周波数ｆ１で明滅する。以下では、周波数ｆ１を「ＬＥＤ明滅周波数ｆ１」と記載する。ＬＥＤ明滅周波数ｆ１が本発明の「第１周波数」に相当する。本実施形態では、ＬＥＤ明滅周波数ｆ１を例えば５５Ｈｚにしている。なお、ＬＥＤ明滅周波数ｆ１の値は限定されない。また、明滅のデューティ比は５０％に限定されない。
【００２４】
また、図２に示すように、発光装置１は、筐体２１、電源ボタン２２ａ、発光ボタン２２ｂ、回路基板２５、および充電池２９を備えている。
【００２５】
筐体２１は、例えば合成樹脂製であり、一方向が開口された略矩形の箱型形状をなす。筐体２１は、開口２１ａを備え、回路基板２５および充電池２９を内部に収容し、開口２１ａに検出装置３が嵌め込まれる。図２（ｂ）に示すように、検出装置３は、表示装置４２（後述）の表示画面が配置されている側の面（背面）とは反対側の面（正面）を、筐体２１側に向けて嵌め込まれている。開口２１ａは検出装置３の形状に合わせた形状とされ、図示しない係合部が検出装置３の側面に係合している。筐体２１は、開口２１ａとは反対側の面（検出装置３の正面に対向する面）に、貫通するレンズ用孔２１ｂおよびＬＥＤ用孔２１ｃを備えている。レンズ用孔２１ｂは、開口２１ａに検出装置３が嵌め込まれた状態で、検出装置３の撮像装置４１（後述）の撮像レンズが対向する位置に配置されている。ＬＥＤ用孔２１ｃは、後述する回路基板２５に搭載されたＬＥＤ２７が対向する位置に配置されている。
【００２６】
また、筐体２１は、開口２１ａとは反対側の面に、電源ボタン２２ａおよび発光ボタン２２ｂを備えている。電源ボタン２２ａおよび発光ボタン２２ｂは、開口２１ａとは反対側の面に設けられた、貫通するボタン用孔にそれぞれ配置されており、筐体２１の内部方向に押下可能に設けられている。電源ボタン２２ａは、発光装置１の稼動と停止とを切り替えるための操作ボタンである。発光ボタン２２ｂは、発光部１２が光の照射を行う状態と行わない状態とを切り替えるための操作ボタンである。
【００２７】
回路基板２５は、基板２６の一方の面に、ＬＥＤ２７、電源スイッチ２８ａおよび発光スイッチ２８ｂ（図示なし）を搭載したものである。なお、回路基板２５には、図示しないが、制御部１３に相当する各種電子部品も搭載されている。回路基板２５は、ＬＥＤ２７が搭載された面を開口２１ａとは反対側に向けて、筐体２１の内部に収容されている。ＬＥＤ２７は、光を発する素子であり、いわゆる発光ダイオード（light emitting diode：ＬＥＤ）である。本実施形態では、ＬＥＤ２７は、半値角が２５度程度の指向性の高いＬＥＤであり、３００ルーメン以上の明るい白色光を狭い範囲に限定照射する。なお、ＬＥＤ２７の仕様はこれに限定されない。ＬＥＤ２７は、ＬＥＤ用孔２１ｃに対向する位置に配置されている。ＬＥＤ２７が発した光は、ＬＥＤ用孔２１ｃを通って、筐体２１の外部に照射される。
【００２８】
電源スイッチ２８ａは、電源ボタン２２ａの押下を検知して、発光装置１の稼動と停止とを切り替えるスイッチであり、電源ボタン２２ａに対向する位置に配置されている。電源スイッチ２８ａは、操作者によって電源ボタン２２ａが押下されると、発光装置１が停止している場合には起動させ、稼動している場合には停止させる。発光スイッチ２８ｂは、発光ボタン２２ｂの押下を検知して、発光部１２の光の照射を行う状態と行わない状態とで切り替えるスイッチであり、発光ボタン２２ｂに対向する位置に配置されている。発光スイッチ２８ｂは、操作者によって発光ボタン２２ｂが押下されると、発光部１２が光の照射を行っていない場合には照射を開始させ、照射を行っている場合には照射を停止させる。
【００２９】
なお、電源ボタン２２ａおよび電源スイッチ２８ａが、発光装置１の稼動と停止とを切り替え、同時に発光部１２の光の照射の開始と停止とを切り替えてもよい。すなわち、この場合、電源スイッチ２８ａは、発光装置１が停止している状態で、操作者によって電源ボタン２２ａが押下されると、発光装置１を起動させて、発光部１２に光の照射を開始させる。また、発光部１２が光の照射を行っている状態で、操作者によって電源ボタン２２ａが押下されると、照射を停止させ、発光装置１を停止させる。この場合、発光装置１は、発光ボタン２２ｂおよび発光スイッチ２８ｂ備えなくてもよい。
【００３０】
充電池２９は、ＬＥＤ２７に電力を供給する電源である。充電池２９は、筐体２１の内部に収容されている。充電池２９は、図示しない充電装置によって充電され、例えば５Ｖの電圧を出力する。なお、出力電圧は限定されない。
【００３１】
なお、発光装置１の構成は図２に示したものに限定されない。例えば、レンズ用孔２１ｂの配置位置は、発光装置１に取り付ける検出装置３における撮像装置４１の撮像レンズの位置に応じて適宜設定される。また、レンズ用孔２１ｂ、電源ボタン２２ａおよび発光ボタン２２ｂの配置位置も限定されない。
【００３２】
次に、検出装置３について説明する。本実施形態において、検出装置３は、スマートフォンであり、撮像機能や通信機能など各種機能を備えた携帯型端末装置である。図１に示すように、検出装置３は、機能構成として、操作部３１、記憶部３２、撮像部３３、表示部３４、および制御部３５を備えている。なお、検出装置３の内部構成は、一般的なスマートフォンのものと共通している。
【００３３】
操作部３１は、複数の操作手段を備えており、操作者による各操作手段の操作を操作信号として制御部３５に出力するための機能ブロックである。操作手段としては、電源ボタンなどの操作ボタン、表示画面の表面を被うように配置されたタッチパネル、音声により操作を行うためのマイクなどがある。各操作手段の配置や機能は一般的なスマートフォンのものと同様である。
【００３４】
記憶部３２は、各種情報を記憶するための機能ブロックであり、ＲＯＭ、ＲＡＭ、および不揮発性メモリなどを備えている。ＲＯＭは、制御部３５で実行される制御プログラムなどが記憶されるものである。ＲＡＭは、情報が仮に格納されるためのエリアと制御部３５が演算などを行う際に使用するワークエリアを提供するものである。不揮発性メモリは、画像データや音声データなどの各種データを記憶しておくものである。なお、後述する図４のフローチャートに示す盗撮カメラ検出用のプログラムは、アプリケーションプログラムとして通信回線を介してダウンロードされ、不揮発性メモリに記憶される。なお、あらかじめＲＯＭなどに記憶しておいてもよい。
【００３５】
撮像部３３は、画像を撮像するための機能ブロックであり、撮像装置４１を備えている。撮像装置４１は、撮像レンズおよびＣＣＤイメージセンサなどの撮像素子を備えたカメラなどで構成されている。発光装置１の筐体２１において、撮像レンズが対向する位置にレンズ用孔２１ｂが配置されているので、撮像装置４１は、レンズ用孔２１ｂを通して周囲の画像を撮像することができる。撮像部３３は、制御部３５からの指示に応じて撮像を行い、撮像した画像のデータを制御部３５に出力する。
【００３６】
表示部３４は、各種表示を行う機能ブロックであり、例えば液晶ディスプレイである表示装置４２を備えている。図２（ｂ）に示すように、表示装置４２は、検出装置３の背面側に配置され、表示画面が検出装置３の背面から露出している。したがって、検出装置３の正面側に発光装置１が被せられていても、操作者は表示画面に表示される画像を見ることができる。表示部３４は、制御部３５によって制御されており、制御部３５より入力される画像データに基づいた画像を表示する。表示部３４は、アプリを起動させるための画像や、撮像部３３によって撮像された画像などの表示を行う。
【００３７】
制御部３５は、検出装置３の各種制御や信号処理を行うための機能ブロックであり、例えば、ＣＰＵを用いて構成されている。制御部３５は、操作部３１より入力される操作信号に応じて、所定の処理を行う。また、制御部３５は、記憶部３２の情報の書き込みおよび読出し、撮像部３３での撮像の制御、および、表示部３４での表示の制御を行う。
【００３８】
本実施形態では、制御部３５は、所定の周波数ｆ２に応じたタイミングで、撮像部３３に撮像を行わせる。以下では、周波数ｆ２を「撮像周波数ｆ２」と記載する。撮像周波数ｆ２が本発明の「第２周波数」に相当する。本実施形態では、撮像周波数ｆ２を例えば２５Ｈｚにしている。なお、撮像周波数ｆ２の値は限定されない。撮像部３３は撮像した画像のデータを制御部３５に出力する。制御部３５は、撮像部３３から入力される画像データを表示部３４に出力して、画像を表示させる。撮像部３３は、撮像周波数ｆ２に応じたタイミング、すなわち周期Ｔ２（＝１/ｆ２）ごとに撮像を行うので、表示部３４で表示される画像は、周期Ｔ２ごとに更新される。撮像周波数ｆ２が２５Ｈｚの場合、０．０４秒毎に画像が更新される。つまり、表示部３４には、動画が表示される。
【００３９】
図２（ａ）に示すように、ＬＥＤ２７と撮像装置４１の撮像レンズとは近接して配置されている。したがって、図１に示すように、発光部１２（ＬＥＤ２７）が照射して、盗撮カメラのレンズ９により反射された光は、撮像部３３（撮像装置４１）に入射する。したがって、撮像部３３によって撮像された画像に強い光として表れる。ただし、レンズ９の大きさはとても小さい（直径が例えば数ミリ程度）ので、撮像部３３によって撮像された画像を静止画として見ても、発見することが難しい。本発明では、ＬＥＤ明滅周波数ｆ１および撮像周波数ｆ２を調整して、撮像部３３によって撮像された画像を動画として表示部３４に表示させることで、レンズ９での反射光を、ＬＥＤ明滅周波数ｆ１と撮像周波数ｆ２との違いにより生じる周波数ｆ３の明滅光として表示させる。以下では、周波数ｆ３を「表示明滅周波数ｆ３」と記載する。表示明滅周波数ｆ３は、ＬＥＤ明滅周波数ｆ１および撮像周波数ｆ２によって決定される。表示明滅周波数ｆ３が本発明の「第３周波数」に相当する。
【００４０】
図３は、ＬＥＤ明滅周波数ｆ１および撮像周波数ｆ２によって定まる表示明滅周波数ｆ３を説明するためのタイムチャートである。同図（ａ）は、発光部１２（ＬＥＤ２７）が照射する光のオンオフを示している。ＬＥＤ２７は、ＬＥＤ明滅周波数ｆ１に応じた周期Ｔ１（＝１/ｆ１）でオンとオフとを繰り返して明滅する。同図（ｂ）は、撮像部３３による撮像のタイミングを示している。撮像部３３は、撮像周波数ｆ２に応じた周期Ｔ２（＝１/ｆ２）ごとに撮像を行う。同図（ｃ）は、表示部３４によって表示される動画における、盗撮カメラのレンズ９により反射された光の明滅を示している。
【００４１】
時刻ｔ0の撮像タイミングは、ＬＥＤ２７のオン（発光）期間に位置するので、撮像された画像において反射光が表示される。当該画像は、次の撮像タイミングまで表示される。周期Ｔ２後の時刻ｔ1の撮像タイミングも、ＬＥＤ２７のオン期間に位置するので、撮像された画像において反射光が表示される。当該画像は、次の撮像タイミングまで表示される。ただし、周期Ｔ１と周期Ｔ２との違い（Ｔ１＜Ｔ２）により、時刻ｔ1の撮像タイミングは、ＬＥＤ２７のオン期間の中央に位置している。さらに周期Ｔ２後の時刻ｔ2の撮像タイミングも、ＬＥＤ２７のオン期間に位置するので、撮像された画像において反射光が表示される。当該画像は、次の撮像タイミングまで表示される。時刻ｔ2の撮像タイミングは、ＬＥＤ２７のオン期間の後半に位置している。時刻ｔ0、ｔ1、ｔ2の撮像タイミングは、ＬＥＤ２７のオン期間に位置するので、時刻ｔ0から時刻ｔ3までの期間では、表示される画像において反射光が表示される。
【００４２】
時刻ｔ2から周期Ｔ２後の時刻ｔ3の撮像タイミングは、ＬＥＤ２７のオフ（消灯）期間に位置するので、撮像された画像において反射光は表示されない。当該画像は、次の撮像タイミングまで表示される。周期Ｔ２後の時刻ｔ4の撮像タイミングも、ＬＥＤ２７のオフ（消灯）期間に位置するので、撮像された画像において反射光は表示されない。当該画像は、次の撮像タイミングまで表示される。ただし、時刻ｔ4の撮像タイミングは、ＬＥＤ２７のオフ期間の中央に位置している。さらに周期Ｔ２後の時刻ｔ5の撮像タイミングも、ＬＥＤ２７のオフ期間に位置するので、撮像された画像において反射光が表示されない。当該画像は、次の撮像タイミングまで表示される。時刻ｔ5の撮像タイミングは、ＬＥＤ２７のオフ期間の後半に位置している。時刻ｔ3、ｔ4、ｔ5の撮像タイミングは、ＬＥＤ２７のオフ期間に位置するので、時刻ｔ3から時刻ｔ6までの期間では、撮像された画像において反射光が表示されない。
【００４３】
このように、表示部３４によって表示される動画において、時刻ｔ0から時刻ｔ3までの期間では反射光が表示され、時刻ｔ3から時刻ｔ6までの期間では反射光が表示されない。この反射光の表示と非表示は、図３（ｃ）に示すように、周期Ｔ３で繰り返される。つまり、レンズ９での反射光は、表示部３４によって表示される動画において、ＬＥＤ明滅周波数ｆ１と撮像周波数ｆ２との違いにより生じる表示明滅周波数ｆ３（＝１/Ｔ３）の明滅光として表示される。
【００４４】
表示明滅周波数ｆ３は、ＬＥＤ明滅周波数ｆ１および撮像周波数ｆ２に基づいて、下記（３）式で算出できる。つまり、表示明滅周波数ｆ３は、ＬＥＤ明滅周波数ｆ１と撮像周波数ｆ２との差の絶対値として算出可能である。図３の例では、ＬＥＤ明滅周波数ｆ１が７Ｈｚ（Ｔ３＝１/７ｓ）、撮像周波数ｆ２が６Ｈｚ（Ｔ３＝１/６ｓ）の場合を示しているので、表示明滅周波数ｆ３は１Ｈｚ（Ｔ３＝１ｓ）になっている。
ｆ３＝｜ｆ１−ｆ２｜  ・・・・  （３）
【００４５】
ＬＥＤ明滅周波数ｆ１が２７．５Ｈｚで、撮像周波数ｆ２が２５Ｈｚの場合、表示明滅周波数ｆ３は、２．５（＝２７．５−２５）Ｈｚになる。表示明滅周波数ｆ３は、大きすぎると人の目には明滅として感じられず、点灯したままの光として感じられる。一方、小さすぎると明滅の間隔が長すぎて、明滅光として感じられない。したがって、本実施形態では、表示明滅周波数ｆ３が０．５Ｈｚ以上で１０Ｈｚ以下の周波数になるように、ＬＥＤ明滅周波数ｆ１および撮像周波数ｆ２が設定される。なお、人が明らかに明滅していると感じられるように、表示明滅周波数ｆ３が２Ｈｚ以上で５Ｈｚ以下の周波数になるように、ＬＥＤ明滅周波数ｆ１および撮像周波数ｆ２が設定されるのが望ましい。
【００４６】
また、ＬＥＤ明滅周波数ｆ１が５５（＝２７．５×２）Ｈｚで、撮像周波数ｆ２が２５Ｈｚの場合も、表示明滅周波数ｆ３は、２．５Ｈｚになる。撮像周波数ｆ２が２５Ｈｚ程度の場合、ＬＥＤ明滅周波数ｆ１が撮像周波数ｆ２の４倍まで、同様になる。すなわち、表示明滅周波数ｆ３は、ＬＥＤ明滅周波数ｆ１が撮像周波数ｆ２の自然数ｎ倍程度の場合、下記（４）式で表される。なお、下記（４）式が成立する自然数ｎの最大値は、撮像周波数ｆ２によって異なる。
ｆ３＝｜ｆ１/ｎ−ｆ２｜  ・・・・  （４）
【００４７】
ＬＥＤ明滅周波数ｆ１が２５Ｈｚ程度の場合、敏感な人にはＬＥＤ２７の明滅が気になる場合があるので、本実施形態では、ＬＥＤ明滅周波数ｆ１を５５（＝２７．５×２）Ｈｚに設定している。なお、ＬＥＤ明滅周波数ｆ１および撮像周波数ｆ２は限定されず、表示明滅周波数ｆ３が明滅に感じられる範囲で適宜設定すればよい。
【００４８】
図４は、盗撮カメラ検出装置Ａ１における盗撮カメラ検出処理を説明するためのフローチャートの一例である。
【００４９】
まず、ＬＥＤ２７の発光が開始される（Ｓ１）。具体的には、操作者が発光装置１の電源ボタン２２ａを操作して発光装置１を起動させ、発光ボタン２２ｂを操作して発光部１２（ＬＥＤ２７）に光の照射を開始させる。本実施形態では、ステップＳ１の処理は操作者の手動により行われる。ステップＳ１の後または前に、操作者によって、盗撮カメラ検出用のアプリが起動される。以下のステップＳ２〜Ｓ４は、当該アプリに基づいて制御部３５が行う処理である。
【００５０】
ステップＳ２では、撮像部３３による撮像が行われる（Ｓ２）。具体的には、制御部３５は、撮像部３３に撮像の指示を出力する。当該指示を入力された撮像部３３は、撮像を行い、撮像した画像のデータを制御部３５に出力する。次に、撮像された画像が表示部３４に表示される（Ｓ３）。具体的には、制御部３５は、撮像部３３から入力される画像データを表示部３４に出力して、画像を表示させる。次に、盗撮カメラ検出処理を終了させる操作が行われたか否かが判別される（Ｓ４）。具体的には、制御部３５は、操作部３１から盗撮カメラ検出処理を終了させるための操作入力が入力されたか否かを判別する。例えば、表示画面に「終了」を示すマークを表示しておき、タッチパネルより当該マークの位置へのタッチを検出した場合に、終了の操作入力があったと判別する。なお、終了の操作入力はこれに限定されず、所定の操作ボタンの操作や、音声による操作などであってもよい。終了させる操作が行われなかった場合（Ｓ４：ＮＯ）、所定時間の経過後にステップＳ２に戻る。当該所定時間は、撮像周波数ｆ２（周期Ｔ２）に応じた時間である。ステップＳ２〜Ｓ４が繰り返されることで、表示部３４には動画が表示される。終了させる操作が行われた場合（Ｓ４：ＹＥＳ）、盗撮カメラ検出用のアプリが終了される。
【００５１】
次に、ＬＥＤ２７の発光が停止される（Ｓ５）。具体的には、操作者が発光装置１の発光ボタン２２ｂを操作して発光部１２（ＬＥＤ２７）に光の照射を停止させる。なお、操作者は、さらに、電源ボタン２２ａを操作して発光装置１を停止させてもよい。本実施形態では、ステップＳ５の処理は操作者の手動により行われる。
【００５２】
なお、図４のフローチャートに示す処理は一例であって、盗撮カメラ検出処理は上述したものに限定されない。
【００５３】
本実施形態によると、発光装置１の発光部１２がＬＥＤ明滅周波数ｆ１で明滅する光を照射し、撮像部３３が撮像周波数ｆ２のタイミングで連続的に撮像し、表示部３４が撮像された画像を表示する。撮像部３３が連続的に画像を撮像するので、撮像された画像は表示部３４に動画として表示される。表示部３４に表示される動画において、発光部１２が照射して盗撮カメラのレンズ９により反射された光は、ＬＥＤ明滅周波数ｆ１および撮像周波数ｆ２によって定まる表示明滅周波数ｆ３で明滅する明滅光として表示される。したがって、操作者は、盗撮カメラのレンズ９が小さくて、静止画では反射された光を発見できない場合でも、動画において光が明滅するように表示されるので、容易に発見できる。よって、盗撮カメラを見逃してしまうことを抑制できる。
【００５４】
また、本実施形態によると、ＬＥＤ明滅周波数ｆ１を５５Ｈｚに設定し、撮像周波数ｆ２を２５Ｈｚに設定している。したがって、表示明滅周波数ｆ３は、２．５（＝５５/２−２５）Ｈｚになる。２．５Ｈｚで明滅する光は、人に目にとって明らかな明滅光として認識されやすい。よって、盗撮カメラを見逃してしまうことをより抑制できる。なお、ＬＥＤ明滅周波数ｆ１および撮像周波数ｆ２は限定されず、表示明滅周波数ｆ３で明滅する光が明滅光として認識されればよい。
【００５５】
また、本実施形態によると、検出装置３は、盗撮カメラ検出用のアプリケーションプログラムがインストールされたスマートフォンである。そして、盗撮カメラ検出装置Ａ１は、検出装置３に発光装置１を取り付けることで構成される。操作者は、自身の所有する汎用的なスマートフォンに盗撮カメラ検出用のアプリをインストールすることで、検出装置３とすることができる。したがって、操作者は、当該アプリと発光装置１とを購入するだけで、盗撮カメラ検出装置Ａ１を入手することができる。よって、操作者の経済的な負担を軽減できる。また、操作者は、スマートフォンを普段から携帯しているのであれば、発光装置１を持参することで、その場で盗撮カメラ検出装置Ａ１とすることができる。したがって、初めて訪れる場所などで盗撮カメラを検出するために持参することに、操作者は大きな負担を感じない。つまり、気軽に盗撮カメラの検出を行うことができる。
【００５６】
また、本実施形態によると、ＬＥＤ２７と撮像装置４１の撮像レンズとは近接して配置され、両者の光軸がほぼ一致した状態で固定されている。したがって、光源と撮像装置とが別体となっている場合のように、光源と撮像レンズの光軸を合わせる手間を必要としない。
【００５７】
なお、本実施形態においては、ＬＥＤ２７が、白色光を照射する場合について説明したが、これに限られない。ＬＥＤ２７は、赤色光や青色光などの単色光を照射するＬＥＤであってもよい。盗撮カメラのレンズ９の種類や特性によっては、反射光をより明確にできる光がある。特定のレンズ９を発見するためには、より適した光を照射するＬＥＤを用いればよい。また、ＬＥＤ２７は、赤外線などの可視光以外の光を照射するＬＥＤであってもよい。この場合、撮像部３３は、当該光を受光できる必要がある。なお、盗撮カメラ検出装置Ａ１をより汎用的に用いるためには、ＬＥＤ２７が白色光を照射するのが望ましい。また、ＬＥＤ２７のその他の仕様も限定されない。ＬＥＤ２７が照射して盗撮カメラのレンズ９で反射された光が、撮像部３３により撮像されて表示部３４に表示されるのであれば、指向性の程度や明るさの程度は制限されない。また、発光装置１は、ＬＥＤ２７に代えて、他の光源を備えていてもよい。当該光源は、設定されたＬＥＤ明滅周波数ｆ１で明滅可能で、照射して盗撮カメラのレンズ９で反射された光が、撮像部３３により撮像されて表示部３４に表示される必要がある。
【００５８】
また、本実施形態においては、発光装置１が充電池２９を備える場合について説明したが、これに限られない。発光装置１は、充電池２９に代えて、乾電池やリチウム電池などの一次電池を電源に用いてもよい。また、発光装置１は、電源を備えず、検出装置３（スマートフォン）が備える電源から電力を供給されてもよい。また、発光装置１は、パソコンなどのＵＳＢ端子から電力を供給される仕様であってもよいし、商用電源系統から交流電力を供給され、直流電力に変換して用いる仕様であってもよい。
【００５９】
また、本実施形態においては、ＬＥＤ明滅周波数ｆ１および撮像周波数ｆ２を固定した場合について説明したが、これに限られない。ＬＥＤ明滅周波数ｆ１および撮像周波数ｆ２の少なくとも一方を可変にして、表示明滅周波数ｆ３を変更できるようにしてもよい。この場合、明滅光を、操作者にとってより識別しやすいものに調整できる。
【００６０】
また、本実施形態においては、盗撮カメラ検出装置Ａ１が、スマートフォンである検出装置３に発光装置１を取り付けたものである場合について説明したが、これに限られない。例えば、検出装置３が動画撮影用のビデオカメラであって、盗撮カメラ検出装置Ａ１は、これに発光装置１が取り付けられたものであってもよい。
【００６１】
〔第２実施形態〕
図５および図６は、第２実施形態に係る盗撮カメラ検出装置Ａ２を説明するための図である。図５は、盗撮カメラ検出装置Ａ２の機能構成を示すブロック図である。図６は、盗撮カメラ検出装置Ａ２における盗撮カメラ検出処理を説明するためのフローチャートの一例である。これらの図において、盗撮カメラ検出装置Ａ１（図１および図４参照）と同一または類似の要素には同一の符号を付して、重複する説明を省略する。なお、図５においては、発光装置１の記載を省略し、検出装置３のみを示している。
【００６２】
第２実施形態に係る盗撮カメラ検出装置Ａ２は、表示部３４に表示される画像に、明滅する部分を認識しやすくするための表示を合成する点で盗撮カメラ検出装置Ａ１と異なる。
【００６３】
第２実施形態に係る制御部３５は、第２実施形態に係る盗撮カメラ検出用のアプリケーションプログラムがインストールされることにより、機能的な構成として、画像取得部３５１、画像比較部３５２および画像合成部３５３を備えている。
【００６４】
画像取得部３５１は、画像を取得するための機能ブロックである。画像取得部３５１は、撮像部３３から入力される画像を取得して、記憶部３２に記憶する。また、画像取得部３５１は、前回取得して記憶した画像を記憶部３２から読み出す。画像取得部３５１は、今回取得した画像と、読み出した前回の画像とを画像比較部３５２に出力する。今回取得した画像が本発明の「第１画像」に相当し、読み出した前回の画像が本発明の「第２画像」に相当する。
【００６５】
画像比較部３５２は、画像の比較を行うための機能ブロックである。画像比較部３５２は、画像取得部３５１より入力される２個の画像を比較することで、今回撮像された画像と前回撮像された画像とを比較する。具体的には、画像比較部３５２は、画像処理により、入力された２個の画像の差分画像を取得する。入力された２個の画像の一方が、明滅光の点灯したときの画像で、他方が消灯したときの画像であった場合、差分画像において明滅光は輝度が大きく変化した領域として表れる。画像比較部３５２は、輝度の差が閾値以上の領域を検出することで、明滅光の領域（以下では、「明滅領域」と記載する場合がある）を検出する。
【００６６】
画像合成部３５３は、合成画像を生成するための機能ブロックである。画像合成部３５３は、画像取得部３５１が今回取得した画像に、画像比較部３５２が検出した明滅領域を示す表示を追加した合成画像を生成する。明滅領域を示す表示は、例えば、明滅領域の輝度を大きくした表示や、当該領域の色を例えば赤色などにした表示などが考えられる。また、明滅領域を指し示す矢印の表示などであってもよい。なお、明滅領域を示す表示は、今回取得した画像だけでなく、その後の複数回の取得された画像にも合成されてもよい。この場合、明滅領域を示す表示が表示される時間を長くできる。
【００６７】
第２実施形態に係る表示部３４は、撮像部３３が撮像した画像に代えて、画像合成部３５３が生成した合成画像を表示する。
【００６８】
図６は、盗撮カメラ検出装置Ａ２における盗撮カメラ検出処理を説明するためのフローチャートの一例である。当該フローチャートは、図４に示すフローチャートにおけるステップＳ２とステップＳ３との間に、ステップＳ１１〜Ｓ１５を追加したものである。ステップＳ１〜Ｓ５については第１実施形態の場合と同様なので、ステップＳ１１〜Ｓ１５を中心に説明する。
【００６９】
ステップＳ２で撮像が行われた後、撮像された画像が記憶される（Ｓ１１）。具体的には、制御部３５（画像取得部３５１）は、撮像部３３から入力される画像データを記憶部３２に記憶する。次に、前回の画像が読み出される（Ｓ１２）。具体的には、制御部３５（画像取得部３５１）は、前回取得して記憶した画像データを記憶部３２から読み出す。次に、差分画像が演算される（Ｓ１３）。具体的には、制御部３５（画像比較部３５２）は、今回取得した画像データと、読み出した前回取得した画像データとから、画像処理により、差分画像データを演算する。次に、明滅領域が検出される（Ｓ１４）。具体的には、制御部３５（画像比較部３５２）は、差分画像データから輝度の差が閾値以上の領域を検出する。次に、明滅領域を示す表示を追加した合成画像が生成される（Ｓ１５）。具体的には、制御部３５（画像合成部３５３）は、撮像部３３から入力された画像データによる画像に明滅領域を示す表示を追加した画像の画像データを生成する。ステップＳ３では、画像合成部３５３によって生成された合成画像が表示部３４に表示される。なお、図６のフローチャートに示す処理は一例であって、盗撮カメラ検出処理は上述したものに限定されない。
【００７０】
本実施形態によると、表示部３４に表示される動画において、発光部１２が照射して盗撮カメラのレンズ９で反射された光による明滅領域を示す表示が合成される。したがって、操作者は、レンズ９で反射された光が弱く、動画に表示される明滅光を発見しづらい場合でも、明滅領域を示す表示が追加されているので、容易に発見できる。よって、盗撮カメラを見逃してしまうことをより抑制できる。
【００７１】
〔第３実施形態〕
図７は、第３実施形態に係る盗撮カメラ検出装置Ａ３の機能構成を示すブロック図である。同図において、盗撮カメラ検出装置Ａ１（図１参照）と同一または類似の要素には同一の符号を付して、重複する説明を省略する。
【００７２】
第３実施形態に係る盗撮カメラ検出装置Ａ３は、発光装置１と検出装置３とが無線通信を行う点で盗撮カメラ検出装置Ａ１と異なる。
【００７３】
第３実施形態に係る発光装置１は、操作部１１を備えておらず、代わりに通信部１４を備えている。通信部１４は、検出装置３との間で無線通信を行うための機能ブロックであり、無線通信モジュールを備えている。無線の通信方式は限定されない。制御部１３は、通信部１４を介して検出装置３から発光開始の指示を受信した場合に、発光部１２に光の照射を開始させる。また、制御部１３は、通信部１４を介して検出装置３から発光停止の指示を受信した場合に、発光部１２に光の照射を停止させる。
【００７４】
第３実施形態に係る検出装置３は、通信部３６をさらに備えている。通信部３６は、発光装置１との間で無線通信を行うための機能ブロックであり、無線通信モジュールを備えている。無線の通信方式は限定されない。制御部３５は、撮像部３３に最初の撮像の指示を出力する前に、通信部３６を介して発光装置１に発光開始の指示を送信する。また、制御部３５は、盗撮カメラ検出処理を終了させる操作が行われた場合に、通信部３６を介して発光装置１に発光停止の指示を送信する。つまり、制御部３５は、図４に示すフローチャートにおけるステップＳ１およびステップＳ５の処理も行う。本実施形態では、第１実施形態では操作者の手動により行われた処理（ステップＳ１、Ｓ５）も含めて、図４のフローチャートに示す盗撮カメラ検出処理が、盗撮カメラ検出用のアプリに基づいて、自動的に実行される。
【００７５】
本実施形態によると、発光部１２による光の照射の開始および停止が自動的に行われる。したがって、操作者は、発光部１２による光の照射の開始および停止のための操作を行う必要がない。
【００７６】
なお、本実施形態によると、通信部１４と通信部３６とが無線通信を行う場合について説明したが、これに限られない。通信部１４と通信部３６とがケーブルで接続されて、有線通信を行ってもよい。
【００７７】
また、本実施形態によると、発光装置１が操作部１１を備えない場合について説明したが、これに限られない。発光装置１は操作部１１を備えていてもよい。この場合、操作部１１の例えば発光ボタン２２ｂが操作された場合に、制御部１３が通信部１４を介して検出装置３に盗撮カメラ検出用のアプリの起動（停止）を指示し、通信部３６を介して発光装置１から指示を受信した制御部３５が、盗撮カメラ検出用のアプリを起動（停止）してもよい。
【００７８】
〔第４実施形態〕
図８は、第４実施形態に係る盗撮カメラ検出装置Ａ４の機能構成を示すブロック図である。同図において、盗撮カメラ検出装置Ａ１（図１参照）と同一または類似の要素には同一の符号を付して、重複する説明を省略する。
【００７９】
第４実施形態に係る盗撮カメラ検出装置Ａ４は、第１実施形態に係る発光装置１と検出装置３とを一体化した、盗撮カメラを発見するための専用の装置である。
【００８０】
盗撮カメラ検出装置Ａ４は、操作部５１、記憶部５２、撮像部５３、表示部５４、制御部５５、および発光部５６を備えている。操作部５１、記憶部５２、撮像部５３、表示部５４、および発光部５６は、それぞれ、第１実施形態に係る操作部３１、記憶部３２、撮像部３３、表示部３４、発光部１２と同様の構成である。制御部５５は、第１実施形態に係る制御部３５と制御部１３とを合わせたものと同様の構成である。
【００８１】
本実施形態によると、盗撮カメラ検出装置Ａ４は一体の装置なので、第１実施形態に係る盗撮カメラ検出装置Ａ１のように、検出装置３に発光装置１を取り付ける煩わしさがない。
【００８２】
なお、本実施形態では、盗撮カメラ検出装置Ａ４が盗撮カメラを発見するための専用の装置である場合について説明したが、これに限られない。盗撮カメラ検出装置Ａ４は、盗撮カメラ検出用のアプリがインストールされたスマートフォンであってもよい。一般的なスマートフォンには、写真撮影のためのフラッシュが備えられている。当該フラッシュを発光部５６として利用して、アプリによりＬＥＤ明滅周波数ｆ１で明滅させることで、スマートフォンを盗撮カメラ検出装置Ａ４として機能させる。ただし、一般的なスマートフォンにフラッシュ用に搭載されているＬＥＤは拡散光を照射するためのＬＥＤなので、光の届く距離が短い。よって、盗撮カメラのレンズ９に反射した光の明るさが十分でない場合がある。したがって、フラッシュ用ＬＥＤにレンズを取り付けて照射する光の指向性を高めるなどの工夫をする必要がある。
【００８３】
本発明に係る盗撮カメラ検出装置およびプログラムは、上述した実施形態に限定されるものではない。本発明に係る盗撮カメラ検出装置およびプログラムの各部の具体的な構成は、種々に設計変更自在である。
【符号の説明】
【００８４】
Ａ１〜Ａ４：盗撮カメラ検出装置
１      ：発光装置
１１    ：操作部
１２    ：発光部
１３    ：制御部
１４    ：通信部
２１    ：筐体
２１ａ  ：開口
２１ｂ  ：レンズ用孔
２１ｃ  ：ＬＥＤ用孔
２２ａ  ：電源ボタン
２２ｂ  ：発光ボタン
２５    ：回路基板
２６    ：基板
２７    ：ＬＥＤ
２８ａ  ：電源スイッチ
２８ｂ  ：発光スイッチ
２９    ：充電池
３      ：検出装置
３１    ：操作部
３２    ：記憶部
３３    ：撮像部
３４    ：表示部
３５    ：制御部
３５１  ：画像取得部
３５２  ：画像比較部
３５３  ：画像合成部
３６    ：通信部
４１    ：撮像装置
４２    ：表示装置
５１    ：操作部
５２    ：記憶部
５３    ：撮像部
５４    ：表示部
５５    ：制御部
５６    ：発光部
９      ：レンズ
【図１】
2020120275.tif 000003
【図２】
2020120275.tif 000004
【図３】
2020120275.tif 000005
【図４】
2020120275.tif 000006
【図５】
2020120275.tif 000007
【図６】
2020120275.tif 000008
【図７】
2020120275.tif 000009
【図８】
2020120275.tif 000010